【事件の表示】
　平成　５年特許願第１４８１５６号「カラオケ再生装置」拒絶査定に対する審判事件［平成　７年　１月１０日出願公開、特開平　７−　　５８８７］について、次のとおり審決する。
【結　論】
　本件審判の請求は、成り立たない。
【理　由】
［１］手続の経緯、本願発明
　本願は、平成５年６月１８日の出願であって、その発明は、平成８年１２月１６日、平成１０年５月１１日、及び平成１１年４月２８日付け手続補正書により補正された明細書および図面の記載からみて、その特許請求の範囲の請求項１ないし５に記載された「カラオケ再生装置」にあると認められるところ、その請求項１に係る発明（以下「本願発明」という。）は、次のとおりのものである。
「【請求項１】複数の曲のカラオケ演奏曲が少なくとも記録された複数の記録媒体を備え、その複数の曲のうちの選択された局が記録されている記録媒体を複数の記録媒体から選択し、選択された曲の選択した記録媒体から再生するカラオケ再生装置であって、
　複数の記録媒体に記録された曲各々の分類情報を記憶した記憶手段と、
　曲分類情報に基づいて選択表を作成し、画像合成手段を介し画像を合成して表示手段に表示する選択表表示手段と、
　曲分類情報に含まれる複数の異なる項目のうちの少なくとも１の項目の内容を指定する指定手段と、
　前記指定手段によって指定された少なくとも１の項目の内容に対応する曲を前記記憶手段から検索する検索手段と、
　を備えたことを特徴とするカラオケ再生装置。」
　なお、上記請求項１中の「選択された
局
曲
［２］引用例
　これに対して、原査定の拒絶の理由に引用された特開平５−６１４９２号公報（平成５年３月１２日出願公開、以下「引用例」という。）には、「マルチメディア用カラオケチエンジャシステム」に関して、
（ａ）「音声、映像、文字情報を記録可能なマルチメディアの再生装置と、中央処理装置と、メモリと、モニタ画面と、ポインティングデバイスと、を少なくとも有し、少なくとも曲名と歌手名をその特定領域に記録されたマルチメディアを装着されたとき、前記中央処理装置の働きにより、該マルチメディアの全てから少なくとも曲名と歌手名を再生して前記メモリに取り込んで記憶しておき、ユーザから、歌手名別の五十音順の如き、特定の選択基準が前記ポインティングデバイスを介して中央処理装置に与えられると、中央処理装置は、メモリに記憶されている前記曲名と歌手名の情報を前記選択基準に照らして配列し直して前記モニタ画面に表示することにより、ユーザに対し選曲の便を図ることを特徴とするマルチメディア用カラオケチェンジャシステム。」（特許請求の範囲請求項１）、
（ｂ）「本発明の目的は、かかる問題点を解決し、曲の検索と選曲の煩わしさを解消し、選曲までの時間を大幅に短縮することのできる選曲方法を実行できるマルチメディア用カラオケチェンジャシステムを提供することにある。」（段落０００５）、
（ｃ）「図４において、カラオケチェンジャ１は、マイク２、スピーカ６、タッチパネル（ポインティングデバイス）７、モニタ画面３から成っており、扉５を開けてディスクを複数枚装着することができる。新規にディスクを装着したり入替えた時に、リセットキー４を押すと、チェンジャ１内に装着した全てのディスクについて、その出版情報記述子に予め記録しておいた情報（曲名と歌手名）を読み取り、チェンジャ内のメモリに記憶される。そして次に、ユーザの示す選択条件に応じて、チェンジャ内の中央処理装置ＣＰＵが、メモリに記憶された情報（曲名と歌手名）の選択抽出や並び替えを行なってモニタ画面３上に表示させる。」（段落０００９、００１０）、
（ｄ）「次に、かかるカラオケ検索の手順を図４、図５を用いて更に具体的に説明する。図５は、検索結果の画面表示例を示す説明図である。五木ひろしの歌を歌いたい時を一例として説明する。カラオケチェンジャを操作開始すると、モニタ画面３には図５の（１）に示す選択枝を有するプレーン（映像）が表示される。この表示された選択枝の中から、モニタ面に設置されたタッチパネル（ポインティングデバイス）７の上から、歌手別の「Ｂ」、五十音の「い」を指で触ると、図５の（２）に示すように、「い」で始まる歌手の曲名が選択枝としてモニタ画面３に表示される。その中から、「よこはま・たそがれ」という曲をタッチパネル７を押して選択すると、目的とする曲を複数枚のディスクの中から選んで再生してくれる。」（段落００１１，００１２）と記載され、図５（１）には、第１検索の画面表示例として、「曲名分類」の下に「Ａ歌の題名別」「Ｂ歌手別」「Ｃデュエット曲」および五十音が図示されている。
［３］本願発明と引用例との対比・判断
［３−１］　本願発明と引用例に記載された発明とを対比すると、引用例の「マルチメディア」「カラオケチェンジャシステム」「メモリ」「モニタ画面」「タッチパネル（ポインティングデバイス）」「曲名分類（歌の題名別、歌手別、デュエット曲）」は、それぞれ本願発明の「記録媒体」「カラオケ再生装置」「記憶手段」「表示手段」「指定手段」「曲分類情報」に相当している。
　また、引用例には、「ユーザから、歌手名別の五十音順の如き、特定の選択基準が前記ポインティングデバイスを介して中央処理装置に与えられると、中央処理装置は、メモリに記憶されている前記曲名と歌手名の情報を前記選択基準に照らして配列し直して前記モニタ画面に表示する」（上記（ａ））と記載され、カラオケ検索の手順が具体的に説明されている（上記（ｄ））ので、引用例の「中央処理装置」は、「検索手段」に相当している。そして、例えば、引用例の「歌手名別の五十音」は、本願発明の「複数の異なる項目」に対応し、そのうちから、引用例において「い」を選択指定することが、本願発明の「１の項目の内容」を指定することに対応している。
　また、引用例に記載された発明の「カラオケチエンジャシステム」は、検索の結果抽出された選択肢の中から所望の曲をタッチパネルを押して選択すると、目的とする曲を複数枚のディスクの中から選んで再生する（上記（ｄ）参照）ものである。
　よって、両者は、
「複数の曲のカラオケ演奏曲が少なくとも記録された複数の記録媒体を備え、その複数の曲のうちの選択された曲が記録されている記録媒体を複数の記録媒体から選択し、選択された曲の選択した記録媒体から再生するカラオケ再生装置であって、
　複数の記録媒体に記録された曲各々の分類情報を記憶した記憶手段と、
　表示手段と、
　曲分類情報に含まれる複数の異なる項目のうちの少なくとも１の項目の内容を指定する指定手段と、
　前記指定手段によって指定された少なくとも１の項目の内容に対応する曲を前記記憶手段から検索する検索手段と、
　を備えたことを特徴とするカラオケ再生装置。」
である点で共通し、以下の相違点で一応相違している。
（相違点）　上記「表示手段」が、本願発明では、「曲分類情報に基づいて選択表を作成し、画像合成手段を介し画像を合成して表示手段に表示する選択表表示手段」であるのに対し、引用例に記載された発明では、「曲分類情報の選択抽出や並び替えを行なってモニタ画面上に表示するもの」である点。
［３−２］相違点について
　引用例に記載されたものも、カラオケ用で、音声、映像、文字情報が記録されたマルチメディアを再生するものであるので、引用例のモニタ画面には、上記映像や文字が表示されることは、当然のことである。従来より一般に、カラオケ再生装置において、記録媒体に記録されている、歌詞及び映像を、モニタ画面に、画像合成手段を介して、映像を背景画像として歌詞と合成して表示することは、周知である（原査定時に示された特開平３−２７４０９５号公報、特開平２−１７７１８６号公報等参照）。したがって、引用例に記載された発明の曲分類情報の選択抽出や並び替えを行なってモニタ画面上に表示するものにおいて、本願発明のように、画像合成手段を介し背景画像を合成して選択表を表示することは、当業者が容易に想到しうることである。
　そして、出願人が主張する、選択表表示時も画像が合成されるので、ユーザを楽しませることができるとする効果は、画像が歌詞の背景画像とされている周知のカラオケ装置と同様の効果であり、上記引用例および周知のカラオケ装置から予測される範囲内のものである。
　なお、曲分類情報について、本件明細書の段落（００２９）で、「曲分類情報は、・・・歌手名、作詞者及び作曲者名とは区別されるものである」と記載されているが、曲を分類する情報として、歌手名を本願発明が除外するものであるとしても、曲分類情報として、引用例には、歌の題名別、デュエット別の五十音別が例示されており、一方、歌手名以外のものも周知である（例えば、原査定で例示された、特開昭６１−７７１８４号公報に記載された「ジャンル別」、実願平３−５１４１０号（実開平４−１３５７９８号）マイクロフィルムに記載された「曲の分野」「ジャンル」「歌唱法」「リズム」「テーマ」、特開平３−２７４０９５号公報に記載された「状況」等参照）ので、「曲分類情報」の意味において、格別相違するものではない。
［４］むすび
　したがって、本願発明は、本願出願前に頒布された刊行物である引用例に記載された発明に基いて当業者が容易に発明をすることができたものであるから、本願発明は、特許法第２９条第２項の規定により特許を受けることができない。
　よって、結論のとおり審決する。